(57)【特許請求の範囲】
【請求項１】
ベルト（１２）等に物品（１３）を装着するための取付具であって、組み合わせとして、
湾状部分（２４）で連結する第１アームおよび第２アーム（２３，２２）を備えたＵ字形のばねクリップ（２０）を含む取付具において、
前記物品（１３）の表面（２５）に前記クリップ（２０）の前記第１アーム（２３）を取り付けるためのマウント装置（２６）と、
一列に整列した開口（４１，４２）を有し、前記物品（１３）に取り付けられるピンサポート装置（３６）と、
前記整列開口（４１，４２）内に配置されるピン（３８）であって、該ピン（３８）と前記物品（１３）の前記表面（２５）との間に前記第２アーム（２２）の自由端（３２）を維持するためのピンとを有することを特徴とする取付具。
【請求項２】
前記第２アーム（２２）の前記自由端（３２）が前記第１アーム（２３）の方に向かう内方屈曲部（３３）と、前記第１アーム（２３）から遠ざかる方に向かい前記ピン（３８）を受容する溝（３５）を定義する外方屈曲部（３４）とを有する請求項１に記載の取付具。
【請求項３】
前記ピンサポート装置（３６）が前記物品（１３）に取り付けられるボディ（３７）と、前記ピン（３８）を受容するための前記整列開口（４１，４２）を定義する、前記ボディ（３７）上の離間したアーム（３９，４０）とを含む請求項２に記載の取付具。
【請求項４】
前記ピンサポート装置（３６）が前記物品（１３）に取り付けられるボディ（３７）と、前記ピン（３８）を受容するための前記整列開口（４１，４２）を定義する、前記ボディ（３７）上の離間したアーム（３９，４０）とを含む請求項１に記載の取付具。
【発明の詳細な説明】
【０００１】
（発明の背景）
本発明は、ポーチ、ホルスター、キーチェーン、テープ、ばね駆動式リトラクター（引き戻し装置）、およびポケットベル等を含む物品をベルトに装着するための装置に関するものである。
【０００２】
２つの形式の取付装置（アタッチメント装置）が知られている。一方の形式において、ホルスターまたはベルトに支持される他の物品には折り曲げばね金属クリップ（ｆｏｌｄｅｄ  ｏｖｅｒ  ｓｐｒｉｎｇ  ｓｔｅｅｌ  ｃｌｉｐ）が設けられ、これは一般にＵ字形でベルトまたはウエストバンド上にスライドするＵ字のクリップ開放端を備えている。この形式の取付装置はベルト上にスライドさせて取り付けることおよびスライドさせてベルトから取り外すことが容易であり、また物品はばね特性によって保留される。この形式の物品の１つの不利な点は、クリップがスライドしてベルトから外れてしまう可能性があることにある。
【０００３】
取付装置の他の形態として、金属、プラスチック、または布の閉ループ（閉鎖環状部分）がホルスターまたは他の装置を支持するために用いられている。ベルトはバックルで留めたり締めつけられる前に閉ループを通して送られる。この閉ループ構造によって、ホルスターおよびループがベルトから紛失したり、予期せずに外される可能性はほとんどない。しかしながら、ベルトにループを取り付けるためおよびベルトからループを取り外すためにはベルトが締められていてはならない。
さらに、米国特許第１，４９１，５６４号明細書には、前部部材およびこれと連結する後部部材を有するベルトフックであって、後部部材がループを保持し、前部部材が離間スリーブを保持するベルトフックが記載されている。後部部材の後方への動きを制限するため、制限バーがループおよびスリーブと係合する。
【０００４】
本発明の目的は、ユーザーの望むような、ループタイプ装置およびスライド・オン・クリップタイプ装置として用いることのできる新規で改良された取付装置を提供することである。そのような装置によって、ユーザーはクリップタイプ装置またはループタイプ装置をいつでも選択することができる。
【０００５】
他の目的、利点、特徴および成果は以下の説明によってより完全に示される。
【０００６】
（発明の要約）
本発明の取付装置はベルト等への物品の装着を規定し、湾状部分で連結する第１アームおよび第２アームを備えたＵ字形のばねクリップと、物品の表面にクリップの第１アームを据付けるためのマウント装置と、一列に整列した開口を定義する装置を有し、物品に支持されるピンサポート装置と、整列開口内に配置するピンであって、ピンと物品の表面との間に第２アームの自由端を維持するためのピンとを含む。
【０００７】
好適には、クリップタイプからループタイプへと取り付け形態を変更するために、第２アームの自由端が第１アームの方に向かう内方屈曲部と、第１アームから遠ざかる方に向かいピンを受容する溝を定義する外方屈曲部とを有する。
【０００８】
好適には、ピンサポート装置が、ピンを受容するための整列開口を定義する離間したアームを備え且つ物品に支持されるボディを含む。
【０００９】
（好適実施例の説明）
図１において、作業員１１が、ばね駆動式のキーチェーン・リトラクター１３を装着したベルト１２を着用している。リトラクターは従来の設計であり、リールに巻かれたケーブル１４、リング１６が取付けられたケーブル先端のコネクター１５、およびリングに支持されたいくつかのキー１７を含む。
【００１０】
ばねクリップ２０がリトラクターのハウジング２１表面に取り付けられる。ばねクリップは一般に湾状部分２４で連結する第１および第２アーム２３および２２を備えたＵ字形のばね金属で作られる。ねじ２６がクリップのアーム２２における隙間開口２７およびアーム２３の凹み開口２８を通して表面２５のねじ開口に取り付けられ、それによってクリップ２０がハウジング２１の表面２５に取り付けられる。
【００１１】
アーム２２の自由端３２がアーム２３の方に向かう内側屈曲部３３と、アーム２３から離れる方に向かい溝３５を定義する外側屈曲部３４とを有している。
【００１２】
ピン３８はハウジング２１の表面２５に支持され且つ取り付けられたピンサポート装置３６に配置することができる。ピンサポート装置は、好適にはピン３８を受け入れるための一列に整列した開口４１および４２を備える離間アーム３９および４０が設けられたボディ３７を含む。ピンサポート装置は図５および図７によく示されている。
【００１３】
一実施例として、ピン３８は開口に押しこみばめ（ｐｕｓｈ  ｆｉｔ）される単純なストレートピンである。他の実施例として、ピンは、滑り端部部品とこの端部部品を外側に押し出す内部ばねとを備えるスリーブであってもよい。この構造は腕時計のバンド等によく用いられている。
【００１４】
本発明の構成によって、ユーザーはピンを挿入するか、あるいはピンを取り付けないかの選択権を有する。ピンを取り付けないことによって、この取付装置は、取り付け時にはベルト上を下方へスライドし、取り外し時には上方へスライドしてベルトから外される標準的なばねクリップとして機能する。ユーザーはまたピンを所定の位置に用いるという選択権を有する。このピンはループを形成するために取り付けられ、ベルトはループを通してスライドされる。この代りに、クリップがベルト上をスライドして下ろされてアーム２２が図３の位置に移動し、その後ピンが挿入され、それによって取付装置をベルトに組み付けることもできる。
【００１５】
クリップタイプおよびループタイプ両方の接続が可能な取付装置を提供することによって、ユーザーが２つのスタイルに変更および元に戻すことができる単一モデルの製造、販売および使用が可能となる。そのような新規な設計は製造、輸送、在庫および販売コストを削減し、製品をユーザーにとってより魅力的なものとする。
【図面の簡単な説明】
【図１】  本発明の取付装置でベルトに取り付けられたキー・リング用のばね駆動リトラクターを装着した人の図。
【図２】  図１の環状部分２の構造を示す拡大部分断面図。
【図３】  図２の環状部分３の部分を示す拡大部分断面図。
【図４】  図２の線４−４に沿って見た部分断面図。
【図５】  図４の線５−５に沿って見た拡大部分断面図。
【図６】  本発明の取付装置のばねクリップの側面図。
【図７】  取付装置の斜視図。
【図１】
0003902723.tif 000002
【図２】
0003902723.tif 000003
【図３】
0003902723.tif 000004
【図４】
0003902723.tif 000005
【図５】
0003902723.tif 000006
【図６】
0003902723.tif 000007
【図７】
0003902723.tif 000008